(57)【要約】【課題】建築物の出隅部の土台部分に配設される土台水切であって、角部分が面取りされた形状とされており、かつ、土台部分における排水機能および換気機能を確保することができる土台水切を提供する。【解決手段】土台水切１０が、出隅部の土台に固定される左側基板部１１Ｌおよび右側基板部１１Ｒと、該各基板部１１Ｌ，１１Ｒそれぞれの下端から表面側に突出する左側段部１２Ｌおよび右側段部１２Ｒと、該各段部１２Ｌ，１２Ｒそれぞれの下端から表面側かつ下方へ斜めに延びる左側斜面部１２Ｌおよび右側斜面部１２Ｒと、該左側斜面部１３Ｌと右側斜面部１３Ｒとの間に介在する中央斜面部１６と、前記各斜面部１３Ｌ，１３Ｒ，１６の下端からそれぞれ下方に延びる左側前面部１４Ｌ、中央前面部１５および右側前面部１４Ｒとからなる。【選択図】  図１
2004251026.tif 000002
【特許請求の範囲】
【請求項１】
建築物の出隅部の土台部分に配設される土台水切であって、
出隅部を構成する土台の２つの面にそれぞれ固定され、互いに隣接しながら垂直方向に延びる左側基板部および右側基板部と、
該各基板部それぞれの下端から表面側へ水平方向に延びる面と、その先端から下方に延びる面とからなる、互いに隣接した左側段部および右側段部と、
該各段部それぞれの下端から表面側かつ下方へ斜めに延びる左側斜面部および右側斜面部と、
該左側斜面部と右側斜面部との間に介在する中央斜面部と、
該各斜面部の下端からそれぞれ下方に延びる連続した３つの面をなす左側前面部、中央前面部および右側前面部とからなることを特徴とする土台水切。
【請求項２】
土台水切全体が１枚の鋼板の板金加工によって形成されており、該鋼板上において、
加工後に前記中央前面部となる領域の上側、左側および右側に、それぞれ、加工後に前記中央斜面部、左側前面部、右側前面部となる各領域が隣接して配置されており、
また、加工後に前記左側前面部となる領域の上側に、加工後に前記左側斜面部、左側段部および左側基板部となる各領域が、この順で縦方向に連続して配置されており、
さらに、加工後に前記右側前面部となる領域の上側に、加工後に前記右側斜面部、右側段部および右側基板部となる各領域が、この順で縦方向に連続して配置されていることを特徴とする土台水切。
【請求項３】
前記鋼板上の各領域の少なくとも１つが、該領域の端部から延出する重ねしろを備え、該重ねしろが板金加工時に他の領域に重ね合わされることを特徴とする請求項１または２記載の土台水切。
【請求項４】
少なくとも１つの前記重ねしろが、重ね合わされた後でさらに固定具を用いて留め付けられることを特徴とする請求項３記載の土台水切。
【請求項５】
前記各基板部の上端部および前記各前面部の下端部のうち少なくとも１つの部分に、所定の幅で折り返された部分を備えることを特徴とする請求項１から４のいずれか記載の土台水切。
【発明の詳細な説明】
【０００１】
【発明の属する技術分野】
本発明は、建築物の出隅部の土台部分に配設される土台水切に関する。
【０００２】
【従来の技術】
建築物の土台部分に配設される土台水切として、土台または下地材に取り付けられる基板部と、該基板部の下端から表面側かつ下方へ斜めに延びる斜面部と、該斜面部の先端から垂直下方に延びる前面部とを備えるものが知られている（例えば、特許文献１参照）。特に、建築物の出隅部に用いられる土台水切としては、図６に斜視図で示すような形状のものがある。図７は、図６に示す土台水切２０を用いた施工構造を示す斜視図であり、図８は、図７のＶＩＩＩ−ＶＩＩＩ線による断面図である。
【０００３】
この出隅用土台水切２０は、土台５０の角部分の左側および右側の面にそれぞれ留め付けられる左側基板部１１Ｌおよび右側基板部１１Ｒを有する。これら基板部１１Ｌ，１１Ｒは互いに隣接していて、その下端からは左側段部１２Ｌおよび右側段部１２Ｒがそれぞれ表面側に突出している。これら段部１２Ｌ，１２Ｒは互いに隣接しており、施工時には図７に示すように、外壁板の下地材として用いられる胴縁４０の下端をそれぞれ支持する。各段部１２Ｌ，１２Ｒの下端からは、それぞれ、左側斜面部１３Ｌおよび右側斜面部１３Ｒが表面側かつ下方に斜めに延びており、これら斜面部１３Ｌ，１３Ｒも互いに隣接している。これら斜面部１３Ｌ，１３Ｒの下端から、それぞれ左側前面部１４Ｌおよび右側前面部１４Ｒが互いに隣接しながら垂直下方に延びている。
【０００４】
土台水切２０は鋼板の板金加工によって製造されており、各基板部１１Ｌ，１１Ｒの上端、および、各前面部１４Ｌ，１４Ｒの下端には、鋼板を所定の幅で折り返した部分１８を備えている。この折り返し部分１８を備えることにより土台水切２０の強度が高められている。
【０００５】
施工時には、図８に示すように、まず、土台水切２０の各基板部１１Ｌ，１１Ｒが釘８２を用いて土台５０に留め付けられる。次に、防水紙７０を介して胴縁４０および外壁材３０が釘８２を用いて留め付けられる。このとき、土台水切２０の各段部１２Ｌ，１２Ｒが胴縁４０の下端を支持する。このような施工構造によれば、外壁材３０の表面をつたって流下する雨水や、外壁材３０の裏側で発生した結露水は、土台水切２０の斜面部１３Ｌ，１３Ｒおよび前面部１４Ｌ，１４Ｒをつたって外部に排出される。また、外壁材３０の下端部と、斜面部１３Ｌ，１３Ｒとの隙間を通して外壁材３０背面側の通気が確保され、換気が良好に行われる。
【特許文献１】
特開２００２−１１５３８７号公報
【０００６】
【発明が解決しようとする課題】
ところで、図７に示したように、出隅壁面に留め付ける外壁材として、角部分に面取り部材３０Ａを使用する場合がある。面取り部材３０Ａは、建築物の壁面に対してほぼ４５°の角度で傾斜した面を有し、この傾斜面が出隅部の角部分に配置されるようにして胴縁４０に取り付けられる。そして、上記傾斜面の側縁部と、隣接する外壁材３０の側縁部との間にはコーキング材９０が打設される。このように面取り部材３０Ａを使用することにより、出隅部壁面は角部分が面取りされた好ましい外観とすることができる。
【０００７】
しかしながら、上記の場合、出隅部壁面は面取りが行われているのに対し、土台水切２０は面取りが行われておらず、出隅壁面の外観の統一感を欠いてしまうという問題があった。また、土台水切２０は、前面部１４Ｌ，１４Ｒの角部分が外壁面よりも表面側に突き出しているため、壁面の近くを歩行する際に、足元に注意しておかないとつまずいたりする危険性もあった。
【０００８】
本発明の目的は、出隅用の土台水切が持つ上記のような不都合を解消することにあり、より具体的には、出隅用土台水切の角部分を面取りした形状の土台水切を提供することである。本発明の他の目的は、鋼板の板金加工によって容易に製造することができる出隅用土台水切を提供することである。
【０００９】
【課題を解決するための手段】
上記の課題を解決するための本発明による土台水切は、建築物の出隅部の土台部分に配設される土台水切であって、出隅部を構成する土台の２つの面にそれぞれ固定され、互いに隣接しながら垂直方向に延びる左側基板部および右側基板部と、該各基板部それぞれの下端から表面側へ水平方向に延びる面と、その先端から下方に延びる面とからなる、互いに隣接した左側段部および右側段部と、該各基板部それぞれの下端から表面側かつ下方へ斜めに延びる左側斜面部および右側斜面部と、該左側斜面部と右側斜面部との間に介在する中央斜面部と、該各斜面部の下端からそれぞれ下方に延びる連続した３つの面をなす左側前面部、中央前面部および右側前面部とからなる。
【００１０】
上記の構成とされる本発明の土台水切を用いることにより、建築物の出隅部の土台部分は、角部分が面取りされた良好な外観とすることができる。特に出隅壁面が面取りされたものである場合には、出隅壁面および土台部分の双方が面取りされた統一感のある外観とすることができる。また、従来の出隅用土台水切と比べて角部分が壁面から突出していないため、壁面近くを歩行する際に土台水切が邪魔になることもない。さらに、外壁材を取付けた状態において、外壁材の下端近傍から斜め下方に延びることとなる斜面部を有することにより、外壁材の表面をつたって流下する雨水や、外壁材の裏側で発生した結露水は斜面部をつたって良好に外部に排出される。また、外壁材の下端部と斜面部との隙間を通して外壁材の背面側の通気が確保され、換気が良好に行われる。施工時には、各段部が胴縁下端を支持した状態で留め付けを行えばよいので、胴縁の留め付け位置を容易に決めることができ、また、留め付け後も安定した固定状態を保つことができる。
【００１１】
好ましい態様において、上記土台水切は１枚の鋼板の板金加工によって形成されており、該鋼板上において、加工後に前記中央前面部となる領域の上側、左側および右側に、それぞれ、加工後に前記中央斜面部、左側前面部、右側前面部となる各領域が隣接して配置されており、また、加工後に前記左側前面部となる領域の上側に、加工後に前記左側斜面部、左側段部および左側基板部となる各領域が、この順で縦方向に連続して配置されており、さらに、加工後に前記右側前面部となる領域の上側に、加工後に前記右側斜面部、右側段部および右側基板部となる各領域が、この順で縦方向に連続して配置されている。
【００１２】
この態様においては、土台水切を１枚の鋼板の板金加工によって容易に製造することができる。そして、土台水切の左側および右側それぞれの前面部、斜面部、段部および基板部が鋼板上の連続した領域を折り曲げることにより形成されており、途中に鋼板の接合線等が入らないため、良好な排水機能を確保することができる。さらに、土台水切の各前面部は施工後に外部に露出することになるが、これら前面部は鋼板上の連続した領域を折り曲げることにより形成されるため、各前面部の間に鋼板の接合線等が現れることはなく、好ましい外観となる。
【００１３】
好ましい態様において、前記鋼板を構成する前記各領域の少なくとも１つが、該領域の端部から延出する重ねしろを備え、該重ねしろが板金加工時に他の領域に重ね合わされる。この態様においては、板金加工によって隣接させられることとなる、中央斜面部と左側斜面部および右側斜面部の間や、左側段部と右側段部との間等に隙間ができにくくなり、排水機能が向上する。より好ましくは、前記重ねしろは、重ね合わされた後でさらにリベット等の固定具を用いて留め付けられることにより、隙間はさらにできにくくなり、また、土台水切全体としての形状保持も確実となる。
【００１４】
好ましい態様において、前記各基板部の上端部および前記各前面部の下端部のうち少なくとも１つの部分に、所定の幅で折り返された部分を備えることにより、土台水切の強度が高められる。
【００１５】
【発明の実施の形態】
以下、図面を参照しながら、本発明の好ましい実施の形態を説明する。図１は本発明による土台水切の一実施の形態を示す斜視図であり、図２はこの土台水切を裏側から見た斜視図である。
【００１６】
図１に示す出隅用土台水切１０は、図６に示した土台水切２０に近い形状であり、土台水切２０における各部分と同じ機能を有する部分には同じ符号を付している。ただし、本発明の土台水切１０においては、左側前面部１４Ｌと右側前面部１４Ｒとの間に中央前面部１５を備えており、また、左側斜面部１３Ｌと右側斜面部１３Ｒとの間には、これら両斜面部１３Ｌ，１３Ｒと中央前面部１５とによって囲まれる三角形の面をなす中央斜面部１６が形成されている。
【００１７】
土台水切１０は一枚の鋼板の板金加工によって製造される。図３は、板金加工前の状態の鋼板を示す平面図であり、図３の二点鎖線は、この線にそって鋼板が折り曲げられることを示している。この図に示す鋼板１００は、ステンレス鋼板、ガルタイト鋼板、ガルバリゥム鋼板などの鋼板からの打ち抜きにより形成されており、この鋼板１００上において、加工後に土台水切１０の中央前面部１５となる領域１１５の上側、左側、右側に、それぞれ、加工後に中央斜面部１６、左側前面部１４Ｌ、右側前面部１４Ｒとなる各領域１１６，１１４Ｌ，１１４Ｒが隣接して配置されている。また、加工後に左側前面部１４Ｌとなる領域１１４Ｌの上側には、加工後に左側斜面部１３Ｌ、左側段部１２Ｌ、左側基板部１１Ｌとなる各領域１１３Ｌ，１１２Ｌ，１１１Ｌがこの順で縦方向に連続して配置されている。同様に、加工後に右側前面部１４Ｒとなる領域１１４Ｒの上側には、加工後に右側斜面部１３Ｒ、右側段部１２Ｒ、右側基板部１１Ｒとなる各領域１１３Ｒ，１１２Ｒ，１１１Ｒがこの順で縦方向に連続して配置されている。
【００１８】
さらに鋼板１００は、加工後に右側基板部１１Ｒとなる領域１１１Ｒの左側、加工後に左側段部１２Ｌとなる領域１１２Ｌの右側、および加工後に中央斜面部１６となる領域１１６の上側２辺から、それぞれ重ねしろ１１７が延出している。板金加工後の土台水切１０においては、図１および図２に示されるように、重ねしろ１１７が隣接する部分に重ねられている。特に斜面部は排水機能を確保する上で隙間ができないことが重要であるので、重ねしろ１１７を重ねた上からさらにリベット８１で留め付けている。
【００１９】
また、加工後に左右の基板部１１Ｌ，１１Ｒとなる各領域１１１Ｌ，１１１Ｒの上端、および、加工後に前面部１４Ｌ，１４Ｒ，１５となる各領域１１４Ｌ，１１４Ｒ，１１５の下端には、それぞれ、加工時に折り曲げられて折り返し部分１８となる領域１１８が備えられている。折り返し部分１８を備えることにより土台水切１０の強度が向上する。なお、重ねしろ１１７や折り返し部分１８の一部または全部を省略したり、重ねしろ１１７を鋼板１００の他の位置に設けることも可能である。
【００２０】
図４は、土台水切１０を用いた施工構造を示す斜視図であり、図５は、図４のＶ−Ｖ線による断面図である。これらの図において、図７および図８に示した従来の施工構造における各部材と同じ部材には同じ符号を付している。施工の仕方は次の通りである。まず、土台水切１０の側端部を、左右に配された土台水切１００の側端部に重ねて配置する。次に、土台水切１０の左右段部１２Ｌ，１２Ｒ上に、胴縁４０の下端部を載せ、防水紙７０を介して、左右の基板部１１Ｌ，１１Ｒを、胴縁４０と共に釘８２で土台５０に固定する。続いて面取り部材３０Ａの取り付け板を、釘８２で左右の胴縁４０に固定する。
【００２１】
さらに、面取り部材３０Ａが出隅部に固定された状態で、左右に配すべき外壁材３０の側端部を面取り部材３０Ａに対向するように配置し、釘８２で左右の胴縁４０に固定する。最後に、面取り部材３０Ａと左右に配された外壁材３０との間の隙間部にコーキング材９０を打設する。
【００２２】
このような施工構造によれば、出隅壁面に面取り部材３０Ａが、その下端部に土台水切１０が施工されているので、出隅壁面およびその下端部に配される土台水切部分の双方が面取りされた統一感のある外観を表現することができる。また、上記従来の施工構造と同様に、外壁材３０の表面をつたって流下する雨水や、外壁材３０の裏面側で発生した結露水は、土台水切１０の各斜面部１３Ｌ，１３Ｒ，１６および各前面部１４Ｌ，１４Ｒ，１５をつたって外部に排出される。また、外壁材３０および面取り部材３０Ａの下端部と土台水切１０の各斜面部１３Ｌ，１３Ｒ，１６との隙間を通して、外壁材３０および面取り部材３０Ａの背面側の通気が確保され、換気が良好に行われる。
【００２３】
【発明の効果】
本発明の出隅用土台水切を使用することにより、土台部の施工構造は角部分が面取りされた好ましい外観とすることができ、同時に、従来の土台水切と同様の良好な排水機能および換気機能を発揮することができる。
【図面の簡単な説明】
【図１】本発明による土台水切の一実施の形態を示す斜視図。
【図２】図１に示す土台水切を裏側から見た状態を示す斜視図。
【図３】図１に示す土台水切の製造前の状態の鋼板を示す平面図。
【図４】図１に示す土台水切を建物土台部に取り付けた状態を示す斜視図。
【図５】図４のＶ−Ｖ線による断面図。
【図６】従来の出隅用土台水切を示す斜視図。
【図７】図６に示す土台水切を建物土台部に取り付けた状態を示す斜視図。
【図８】図７のＶＩＩＩ−ＶＩＩＩ線による断面図。
【符号の説明】
１０…土台水切、１１Ｌ…左側基板部、１１Ｒ…右側基板部、１２Ｌ…左側段部、１２Ｒ…右側段部、１３Ｌ…左側斜面部、１３Ｒ…右側斜面部、１４Ｌ…左側前面部、１４Ｒ…右側前面部、１５…中央前面部、１６…中央斜面部
【図１】
2004251026.tif 000003
【図２】
2004251026.tif 000004
【図３】
2004251026.tif 000005
【図４】
2004251026.tif 000006
【図５】
2004251026.tif 000007
【図６】
2004251026.tif 000008
【図７】
2004251026.tif 000009
【図８】
2004251026.tif 000010